(57)【要約】【課題】ＬＥＤを複数直列接続したＬＥＤグループを照明むらなく均一で効率的に駆動する。【解決手段】複数のＬＥＤを直列接続したＬＥＤグループＧ１〜Ｇ６を複数直列接続してなるＬＥＤ直列回路５と、交流電圧を全波整流して得られる脈流電圧を直列接続したＬＥＤグループに供給する整流回路２と、脈流電圧の値が設定された電圧範囲内にある位相期間を脈流電圧の各周期で検出する検出回路４と、脈流電圧の位相期間毎にＬＥＤグループの駆動を切り替えるスイッチ回路を備える。ＬＥＤグループの駆動パターンを、各ＬＥＤグループが脈流電圧の所定数周期内で同数回駆動されるように、脈流電圧の周期毎に規則的に変化させる。【選択図】図３
2018046184.tif 000002
【特許請求の範囲】
【請求項１】
複数のＬＥＤを直列接続した一連のＬＥＤをＬＥＤグループとして前記ＬＥＤグループを複数備え、該複数のＬＥＤグループを更に直列接続してなるＬＥＤ直列回路と、
交流電圧を全波整流して得られる脈流電圧を前記直列接続した前記ＬＥＤグループに供給する整流回路と、
前記脈流電圧の値が設定された電圧範囲内にある位相期間を脈流電圧の各周期で検出する検出回路と、
前記位相期間毎に前記ＬＥＤグループの駆動を切り替えるスイッチ回路と、を備え、
前記スイッチ回路によるＬＥＤグループの駆動パターンを、各ＬＥＤグループが脈流電圧の所定数周期内で同数回駆動されるように、脈流電圧の周期毎に規則的に変化させることを特徴とするＬＥＤ駆動装置。
【請求項２】
前記複数のＬＥＤグループにそれぞれ属するＬＥＤ個数が各ＬＥＤグループで同じであることを特徴とする請求項１に記載のＬＥＤ駆動装置。
【請求項３】
前記各ＬＥＤグループは脈流電圧の周期毎に所定数のグループ単位でずらして駆動されることを特徴とする請求項２に記載のＬＥＤ駆動装置。
【請求項４】
前記複数のＬＥＤグループにおいて、それぞれのグループに属するＬＥＤ個数が、すべてまたは一部のグループ間で異なることを特徴とする請求項１に記載のＬＥＤ駆動装置。
【請求項５】
前記複数のＬＥＤグループに属するＬＥＤが、脈流電圧の周期毎にグループ分けの境界を所定のＬＥＤの個数分ずつずらしてグループ分けをし直して、駆動されることを特徴とする請求項４に記載のＬＥＤ駆動装置。
【請求項６】
複数のＬＥＤを直列接続した一連のＬＥＤをＬＥＤグループとして前記ＬＥＤグループを複数備え、該複数のＬＥＤグループを更に直列接続し、
交流電圧を全波整流して得られる脈流電圧を前記複数直列接続した前記ＬＥＤグループに供給し、
前記脈流電圧の値が設定された電圧範囲内にある位相期間を脈流電圧の各周期で検出し、
前記位相期間毎に前記ＬＥＤグループの駆動を切り替え、
前記ＬＥＤグループの駆動パターンを、各ＬＥＤグループが脈流電圧の所定数周期内で同数回駆動されるように、脈流電圧の周期毎に規則的に変化させることを特徴とするＬＥＤ駆動方法。
【請求項７】
前記複数のＬＥＤグループにそれぞれ属するＬＥＤ個数が各ＬＥＤグループで同じであることを特徴とする請求項６に記載のＬＥＤ駆動方法。
【請求項８】
前記各ＬＥＤグループは脈流電圧の周期毎に所定数のグループ単位でずらして駆動されることを特徴とする請求項７に記載のＬＥＤ駆動方法。
【請求項９】
前記複数のＬＥＤグループにおいて、それぞれのグループに属するＬＥＤ個数がすべてまたは一部のグループ間で異なることを特徴とする請求項６に記載のＬＥＤ駆動方法。
【請求項１０】
前記ＬＥＤグループのＬＥＤは脈流電圧の周期毎にグループ分けの境界を所定のＬＥＤの個数分ずつずらして駆動されることを特徴とする請求項９に記載のＬＥＤ駆動方法。
【発明の詳細な説明】
【技術分野】
【０００１】
本発明は、ＬＥＤ（Ｌｉｇｈｔ  Ｅｍｉｔｔｉｎｇ  Ｄｉｏｄｅ；発光ダイオード）を照明光源に使用するときのＬＥＤ駆動装置及びその方法に関するものである。
【背景技術】
【０００２】
近年、ＬＥＤを光源に使用するＬＥＤ照明装置が普及している。交流電圧をそのままＬＥＤに入力する点灯方法では、効率が悪いため、スイッチング電源方式が多く採用されている。しかし、このような方式では、構造が複雑であるため、交流電圧を全波整流し、整流後の脈流電圧値に合わせてＬＥＤの駆動数を変化させる方法がある。
【０００３】
例えば、特許文献１には、交流電圧を整流して得た脈流電圧を複数の発光ダイオードの直列接続回路に供給し、脈流電圧の低い値から高い値への変化、あるいは逆方向への変化に対応してＬＥＤの駆動個数を切り替える構成が開示されている。また、特許文献２〜４には、複数のＬＥＤを直列接続した一連のＬＥＤをＬＥＤストリングあるいはＬＥＤグループとして複数直列接続し、脈流電圧のレベルに応じてＬＥＤストリングないしＬＥＤグループの駆動を切り替える構成が開示されている。
【０００４】
このような従来のＬＥＤ駆動方式では、直列接続したＬＥＤの順方向電圧の合計とその時の電圧値の差が小さいので、ＬＥＤを比較的簡単な構成で消費電力の効率をよくして、駆動することができる。
【先行技術文献】
【特許文献】
【０００５】
【特許文献１】特許第４５８１６４６号公報
【特許文献２】特開２０１３−３７８３７号公報
【特許文献３】特許第４５８８４９４号公報
【特許文献４】特許２０１０−１０９１６８号公報
【発明の概要】
【発明が解決しようとする課題】
【０００６】
脈流電圧はその電圧レベルが高くなるほど、電圧が当該電圧レベル以上である期間は短くなる。従って、直列接続のＬＥＤをグループ化して駆動する場合、ＬＥＤグループごとにＬＥＤの個数を変化させ、脈流電圧がＬＥＤの順方向電圧を超えた段階で、ＬＥＤの個数が最も多いＬＥＤグループを駆動し、脈流電圧が高くなるに従ってＬＥＤの個数が少なくなるＬＥＤグループに切り替えて駆動するようにすると、効率的なＬＥＤの駆動が可能になる。例えば、ＬＥＤを３０個直列接続したものを第１グループ、１０個直列接続したものを第２グループ、６個直列接続したものを第３グループとし、脈流電圧が９０Ｖになったときに、第１グループのＬＥＤを駆動し、１２０Ｖになったときに第２グループのＬＥＤを駆動し、１３８Ｖになったときに、第３グループのＬＥＤを駆動すると、３０＋１０＋６＝４６個のＬＥＤを効率的に駆動することができる。
【０００７】
しかし、このような駆動方式では、脈流電圧の１周期内での第１グループのＬＥＤ駆動期間は長く、第２、第３グループになるに従って当該グループのＬＥＤ駆動期間は短くなる。人間の目でこれをみるとちらつきは別として、平均的な明るさにばらつきが生じ、第１から第３グループに切り替えて駆動するに従って暗く見える。これを回避するには、第１〜第３グループの各ＬＥＤを均等に配置することであるが、各グループのＬＥＤの個数を同数にすると上述したような効率的な駆動が困難になる、という問題があった。
【０００８】
本発明は、このような問題点を解決するためになされたもので、複数直列接続したＬＥＤをＬＥＤグループとし、各ＬＥＤグループを照明むらなく均一で効率的に駆動することができるＬＥＤ駆動装置並びにその方法を提供することを課題とする。
【課題を解決するための手段】
【０００９】
本発明（請求項１）のＬＥＤ駆動装置は、
複数のＬＥＤを直列接続した一連のＬＥＤをＬＥＤグループとして前記ＬＥＤグループを複数備え、該複数のＬＥＤグループを更に直列接続してなるＬＥＤ直列回路と、
交流電圧を全波整流して得られる脈流電圧を前記直列接続した前記ＬＥＤグループに供給する整流回路と、
前記脈流電圧の値が設定された電圧範囲内にある位相期間を脈流電圧の各周期で検出する検出回路と、
前記位相期間毎に前記ＬＥＤグループの駆動を切り替えるスイッチ回路と、を備え、
前記スイッチ回路によるＬＥＤグループの駆動パターンを、各ＬＥＤグループが脈流電圧の所定数周期内で同数回駆動されるように、脈流電圧の周期毎に規則的に変化させることを特徴とする。
【００１０】
また、本発明（請求項６）のＬＥＤ駆動方法は、
複数のＬＥＤを直列接続した一連のＬＥＤをＬＥＤグループとして前記ＬＥＤグループを複数備え、該複数のＬＥＤグループを更に直列接続し、
交流電圧を全波整流して得られる脈流電圧を前記複数直列接続した前記ＬＥＤグループに供給し、
前記脈流電圧の値が設定された電圧範囲内にある位相期間を脈流電圧の各周期で検出し、
前記位相期間毎に前記ＬＥＤグループの駆動を切り替え、
前記ＬＥＤグループの駆動パターンを、各ＬＥＤグループが脈流電圧の所定数周期内で同数回駆動されるように、脈流電圧の周期毎に規則的に変化させることを特徴とする。
【発明の効果】
【００１１】
本発明では、ＬＥＤグループの駆動パターンを、各ＬＥＤグループが脈流電圧の所定数周期内で同数回駆動されるように、脈流電圧の周期毎に規則的に変化させているので、各ＬＥＤグループを照明むらなく均一で効率的に駆動することができる。
【図面の簡単な説明】
【００１２】
【図１】本発明のＬＥＤ駆動装置の一実施例を説明する回路図である。
【図２】ＬＥＤに印加される脈流電圧の波形を示した波形図である。
【図３】ＬＥＤ駆動装置に用いられる制御回路の詳細な構成を示した回路図である。
【図４】脈流電圧の各位相期間でのＬＥＤグループの駆動状態を示した表図である。
【図５】脈流電圧の時間経過に従って変化するＬＥＤグループの駆動状態を示した説明図である。
【図６】本発明のＬＥＤ駆動装置の他の実施例を説明する回路図である。
【図７】図６の実施例に用いられる制御回路の詳細な構成を示した回路図である。
【図８】図６の実施例における脈流電圧の各位相期間でのＬＥＤグループの駆動状態を示した表図である。
【発明を実施するための形態】
【００１３】
以下、図面を参照しながら実施例に基づいて本発明を詳細に説明する。
【実施例１】
【００１４】
図１において、交流電源１から供給される交流電圧は、整流回路２により全波整流され、図２に示すような脈流電圧が発生する。この脈流電圧は、周期Ｔ（例えば１２０ｍｓｅｃ）でその波形が繰り返され、１番目、２番目、３番目、４番目、５番目、６番目の波形がそれぞれ１ｓｔ、２ｎｄ、３ｒｄ、４ｔｈ、５ｔｈ、６ｔｈで図示され、以下時間ｔの経過に従って同じ波形が繰り返される。
【００１５】
整流回路２から出力される脈流電圧は制御回路３に入力され、ＬＥＤ直列回路５のＬＥＤを駆動する。ＬＥＤ直列回路５は、直列接続された一連のＬＥＤからなるＬＥＤグループＧ１〜Ｇ６の直列接続回路として構成される。本実施例では、ＬＥＤ直列回路５は、例えば４２個の直列接続ＬＥＤからなり、それぞれ７個の同数の直列接続ＬＥＤからなる６つのＬＥＤグループＧ１〜Ｇ６を構成している。このように、直列接続された一連のＬＥＤはＬＥＤストリングともよばれる。ＬＥＤグループＧ１〜Ｇ６は、後述するように、脈流電圧の値が設定された電圧範囲内にある位相期間に応じて所定の駆動パターンで駆動される。ここで、ＬＥＤグループが駆動されるとは、当該ＬＥＤグループを構成するすべてのＬＥＤが駆動されて点灯状態になることを意味する。
【００１６】
制御回路３には、図３に示したように、スイッチ回路３１ａ〜３１ｇ、３２ａ〜３２ｇ、３３ａ〜３３ｇが設けられ、その切替状態に応じてＬＥＤグループＧ１〜Ｇ６に接続されたラインＬ１〜Ｌ７をＯＵＴ（当該ラインからＬＥＤのアノード端子に電流が流れる）、ＩＮ（ＬＥＤのカソード端子から当該ラインに電流が流れる）、オフ（電流が流れない）の状態に切り替える。ラインＬ１はグループＧ１の最初のＬＥＤのアノード端子に、ラインＬｉ（ｉ＝２〜６）は、それぞれグループＧｉの最初のＬＥＤのアノード端子とその前のグループの最後のＬＥＤのカソード端子の接続点に接続され、Ｌ７はグループＧ６の最後のＬＥＤのカソード端子に接続される。なお、図３では、スイッチ回路３１ａ〜３１ｇ、３２ａ〜３２ｇ、３３ａ〜３３ｇは、機械的なスイッチ回路として図示されているが、ＦＥＴなどの電子スイッチで構成される。
【００１７】
制御回路３に設けられた検出回路４は、接続点Ａを介して整流回路２の＋端子に接続されるリード線２ａと、接続点Ｂを介して−端子に接続されるリード線２ｂにそれぞれ接続され、整流回路２から得られる脈流電圧の電圧値を検出して、電圧値が設定された電圧範囲内にある位相期間を脈流電圧の各周期で検出する。
【００１８】
検出回路４は、制御線４１ａ〜４１ｇ、制御線４２ａ〜４２ｇ、制御線４３ａ〜４３ｇを有し、制御線４１ａ〜４１ｇは、それぞれスイッチ回路３１ａ〜３１ｇに接続されてその切替状態を制御する。同様に、制御線４２ａ〜４２ｇは、それぞれスイッチ回路３２ａ〜３２ｇに接続されてその切替状態を制御し、制御線４３ａ〜４３ｇは、それぞれスイッチ回路３３ａ〜３３ｇに接続されてその切替状態を制御する。また、整流回路２と制御回路３間には、定電流回路６が接続される。
【００１９】
次に、このように構成されたＬＥＤ駆動装置の動作を説明する。
【００２０】
交流電源１から供給される交流電圧は、整流回路２により全波整流され、図２、図５に示すような脈流電圧が発生する。この脈流電圧は、周期Ｔ（例えば１２０ｍｓｅｃ）でその波形が１ｓｔ、２ｎｄ、３ｒｄ、４ｔｈ、５ｔｈ、６ｔｈで図示されており、以下時間ｔの経過に従って同じ波形が繰り返される。
【００２１】
本実施例では、図２に示したように、脈流電圧の一周期Ｔ内でＶ１（例えば９０Ｖ）、Ｖ２（例えば１２０Ｖ）、Ｖ３（例えば１３８Ｖ）の電圧値が設定され、検出回路４は、電圧値がＶ１を超えてＶ２になるまでの位相期間Ｔ１、電圧値がＶ２を超えてＶ３になるまでの位相期間Ｔ２、電圧値がＶ３を超えている位相期間Ｔ３、電圧値がＶ３を下回りＶ２になるまでの位相期間Ｔ４、電圧値がＶ２を下回りＶ１になるまでの位相期間Ｔ５を、それぞれ脈流電圧の各周期で検出する。
【００２２】
検出回路４は、各周期で検出した位相期間に応じて制御線４１ａ〜４１ｇ、４２ａ〜４２ｇ、４３ａ〜４３ｇに切替信号を発生し、スイッチ回路３１ａ〜３１ｇ、３２ａ〜３２ｇ、３３ａ〜３３ｇを切り替え、ラインＬ１〜Ｌ７をＯＵＴ、ＩＮ、オフの状態にする。
【００２３】
スイッチ回路３１ａ〜３１ｇ、３２ａ〜３２ｇ、３３ａ〜３３ｇの各切替状態（スイッチング状態）で各ＬＥＤグループＧ１〜Ｇ６が脈流電圧の１ｓｔ〜６ｔｈの周期でどのように駆動されるかが、各位相期間Ｔ１〜Ｔ５毎に図４にテーブルの形で図示されている。
【００２４】
例えば、脈流電圧の１番目の周期（１ｓｔ）の位相期間Ｔ１では、ラインＬ１がＯＵＴとなり、ラインＬ４がＩＮとなり、その他のラインはオフとなるので、グループＧ１〜Ｇ３のＬＥＤが駆動され、白で示した消灯状態から斜線で示した点灯状態となる。次の位相期間Ｔ２〜Ｔ５では、各ラインが図示した状態となり、それぞれグループＧ１〜Ｇ５、グループＧ１〜Ｇ６、グループＧ１〜Ｇ５、グループＧ１〜Ｇ３のＬＥＤが駆動され点灯状態となる。
【００２５】
次の２番目の周期（２ｎｄ）の位相期間Ｔ１では、前の周期（１ｓｔ）に比較して、ＬＥＤグループの駆動パターンが規則性をもって変化される。本実施例では、ラインＬ２がＯＵＴ、ラインＬ５がＩＮ、その他のラインがオフとなり、前の周期で駆動されたグループＧ１〜Ｇ３がそれぞれ１グループずつ電流の流れる方向にずらされてグループＧ２〜Ｇ４のＬＥＤが駆動され、駆動パターンが変化する。
【００２６】
２番目の周期（２ｎｄ）の他の位相期間Ｔ２〜Ｔ５でも、各ラインが図示された状態となり、各グループＧ１〜Ｇ６の駆動パターンは、前の周期に比較して規則的に変化され、それぞれ１グループずつ電流の流れる方向にずれたパターンになる。なお、最後のグループＧ６は電流の流れる方向には１グループずらすことはできないので、最初のグループＧ１に戻すようにする。従って、すべてのグループＧ１〜Ｇ６が駆動される位相期間Ｔ３では、１グループずらして駆動しても、すべてのグループＧ１〜Ｇ６が駆動されてその駆動パターンは変化することはない。
【００２７】
以下、３〜６番目の周期（３ｒｄ〜６ｔｈ）の各位相期間Ｔ１〜Ｔ５でも、それぞれ各ラインが図示された状態となり、各位相期間でのグループＧ１〜Ｇ６の駆動パターンは、周期毎に規則的に変化され、それぞれ１グループずつ電流の流れる方向にずれたパターンになる。なお、４番目の周期（４ｔｈ）の位相期間Ｔ２では、Ｌ１がＯＵＴ、Ｌ３がＩＮ、Ｌ４がＯＵＴ、Ｌ７がＩＮ、その他のラインがオフの状態となり、そのときのスイッチ回路の切替状態、並びにラインの接続状態が図３に太線で図示されている。
【００２８】
６番目の周期（６ｔｈ）で各位相期間での１グループずつずれた次の駆動パターンは、最初の周期（１ｓｔ）での駆動パターンと同じになる。以下、この駆動パターンを６周期毎に繰り返す。
【００２９】
本実施例では、３つの電圧レベルＶ１〜Ｖ３が設定され、これにより５種類の位相期間Ｔ１〜Ｔ５が発生し、脈流電圧の６周期で、合計５×６＝３０の駆動パターンが６周期毎に繰り返される。この脈流電圧の６周期内での各ＬＥＤクループＧ１〜Ｇ６の駆動回数は、いずれも２２回で同じ回数となる。時間経過ｔに従ったＬＥＤの点灯時間を図示すると、図５に示したようになる。斜線で示した部分は各グループＧ１〜Ｇ６のＬＥＤが点灯される時間であり、各グループＧ１〜Ｇ６のＬＥＤの点灯時間は、脈流電圧の６周期内では同じになり、均一の明るさになる。続く６周期毎でも各グループＧ１〜Ｇ６のＬＥＤの点灯時間並びに明るさは、同じになるので、各ＬＥＤグループを照明むらなく均一で効率的に駆動することができる。
【００３０】
なお、上述した実施例では、ＬＥＤグループの駆動パターンを１グループ単位でずらしているが、複数グループ単位でずらすようにしてもよい。脈流電圧の何周期目で最初の周期の駆動パターンに戻るかは、ＬＥＤ直列回路のＬＥＤの全個数、グループ数、脈流電圧の設定レベル数（位相期間の数）などで決まる。また、ＬＥＤグループの駆動パターンのずらし方を直列回路中における電流の流れる方向にずらしたが、逆方向にずらすようにしてもよい。
【００３１】
このように、ＬＥＤグループＧ１〜Ｇ６の駆動パターンを、各ＬＥＤグループが脈流電圧の所定数周期内で同数回駆動されるように、脈流電圧の周期毎に規則的に変化させているので、各ＬＥＤグループを照明むらなく均一で効率的に駆動することができる。
【実施例２】
【００３２】
実施例１では、ＬＥＤグループのＬＥＤ個数が各ＬＥＤグループで同じ個数であったが、実施例２では、異なる個数となっている。ＬＥＤ直列回路１０は、図６に図示したように、Ｄ１〜Ｄ４６の４６個のＬＥＤ直列接続回路として構成され、Ｄ１〜Ｄ３０の３０個の直列接続ＬＥＤからなるＬＥＤグループＧ１、Ｄ３１〜Ｄ４０の１０個の直列接続ＬＥＤからなるＬＥＤグループＧ２、Ｄ４１〜Ｄ４６の６個の直列接続ＬＥＤからなるＬＥＤグループＧ３の３グループが形成される。
【００３３】
制御回路７には、図７に示したように、スイッチ回路７１ａ〜７１ｄ、７２ａ〜７２ｄ、７３ａ〜７３ｄが設けられ、その切替状態に応じてラインＬ１〜Ｌ４７をＯＵＴ、ＩＮ、オフの状態に切り替える。なお、ラインＬ１はＤ１のＬＥＤのアノード端子に、ラインＬｉ（ｉ＝２〜４６）は、それぞれＤｉのＬＥＤのアノード端子とその前のＬＥＤのカソード端子の接続点に接続され、Ｌ４７は最後のＬＥＤのカソード端子に接続される。
【００３４】
制御回路７に設けられた検出回路８は、実施例１と同様に、脈流電圧の電圧値Ｖ１〜Ｖ３を検出して、電圧値が設定された電圧範囲内にある位相期間Ｔ１〜Ｔ５を脈流電圧の各周期で検出し、制御線８１ａ〜８１ｄ、８２ａ〜８２ｄ、８３ａ〜８３ｄを介してそれぞれスイッチ回路７１ａ〜７１ｄ、７２ａ〜７２ｄ、７３ａ〜７３ｄの切替状態を制御する。なお、図７では、図が複雑になるのを避けるために、ラインＬ１、Ｌ３１、Ｌ４０、Ｌ４７に関連したスイッチ回路並びにそのスイッチ回路の切替状態を制御する制御線のみが図示されているが、その他のラインに対しても、同様なスイッチ回路とそのスイッチ回路の切替状態を制御する制御線が設けられる。
【００３５】
このような構成で、各周期の各位相期間でＬＥＤグループＧ１〜Ｇ３がどのように駆動されるかが、図８にテーブルの形で図示されている。
【００３６】
脈流電圧の１番目の周期（１ｓｔ）の位相期間Ｔ１〜Ｔ５では、それぞれグループＧ１、グループＧ１とＧ２、グループＧ１〜Ｇ３、グループＧ１とＧ２、グループＧ１のＬＥＤが駆動され点灯状態となる。例えば、この周期の位相期間Ｔ２、Ｔ４では、Ｌ１がＯＵＴ、Ｌ４０がＩＮ、その他のラインがオフの状態となり、そのときのスイッチ回路の切替状態、並びにラインの接続状態が図７に太線で図示されている。
【００３７】
次の２番目の周期（２ｎｄ）の位相期間Ｔ１〜Ｔ５では、グループＧ１〜Ｇ３に属する各ＬＥＤがそれぞれＬＥＤ１個分ずつ直列回路中に電流の流れる方向にグループ分けの境界をずらされてグループ分けがし直される形になり、駆動パターンが変化する。以下同様に、周期が変わるごとに各位相期間Ｔ１〜Ｔ５で、グループＧ１〜Ｇ３に属する各ＬＥＤにおいて、それぞれＬＥＤ１個分ずつグループ分けの境界をずらされてグループ分けがし直される形になり、駆動パターンが変化する。
【００３８】
図８では、５番目の周期（５ｔｈ）までの駆動パターンしか図示されていないが、周期が変わるごとに、各位相期間Ｔ１〜Ｔ５で、グループＧ１〜Ｇ３に属するＬＥＤにおいて、それぞれＬＥＤ１個分ずつグループ分けの境界がずらされて駆動パターンが変化し、ＬＥＤの全個数４６に相当する４６番目の周期での駆動が終了すると、最初の周期（１ｓｔ）での駆動パターンと同じになり、それぞれの駆動パターンを４６周期毎に繰り返す。
【００３９】
なお、各周期の位相期間Ｔ３では、Ｄ１〜Ｄ４６のＬＥＤがすべて駆動され点灯されるので、周期が変わっても駆動パターンは変化することはない。
【００４０】
実施例２でも、グループＧ１〜Ｇ３のＬＥＤの駆動パターンは脈流電圧の４６周期毎に同じパターンを繰り返す。従って、すべての４６個のＬＥＤは、この４６周期内で同じ回数駆動され、各ＬＥＤの点灯時間並びに明るさは、同じになるので、各ＬＥＤを照明むらなく均一で効率的に駆動することができる。
【００４１】
なお、上述した実施例では、各グループに属するＬＥＤを脈流電圧の周期毎にグループ分けの境界をＬＥＤ１個分ずつずらしてグループ分けを変えているが、複数個分ずつずらすようにしてもよい。脈流電圧の何周期目で最初の周期の駆動パターンに戻るかは、ＬＥＤ直列回路のＬＥＤの全個数、グループ数、脈流電圧の設定レベル数（位相期間の数）などで決まる。なお、これらのＬＥＤ直列回路のＬＥＤの全個数、グループ数、脈流電圧の設定レベル数（位相期間の数）などは所定の条件の下で任意に選択することができる。例えば脈流電圧の設定レベル数は４段階にして、グループ分けを５グループとし、それぞれのグループに属するＬＥＤの数を、Ｇ１：１０個、Ｇ２：１０個、Ｇ３：８個、Ｇ４：４個、Ｇ５：２個、で合計３４個のＬＥＤで一つのＬＥＤ直列回路を構成するようにしてもよい。また、各グループに属するＬＥＤのグループ分けにおいて、属するＬＥＤの直列回路中におけるずらし方を、直列回路中における電流の流れる方向にずらしたが、逆方向にずらすようにしてもよい。
【符号の説明】
【００４２】
１  交流電源
２  整流回路
３  制御回路
４  検出回路
５  ＬＥＤ直列回路
６  定電流回路
７  制御回路
８  検出回路
１０  ＬＥＤ直列回路
【図１】
2018046184.tif 000003
【図２】
2018046184.tif 000004
【図３】
2018046184.tif 000005
【図４】
2018046184.tif 000006
【図５】
2018046184.tif 000007
【図６】
2018046184.tif 000008
【図７】
2018046184.tif 000009
【図８】
2018046184.tif 000010